【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】流体をバルブで調節する医療用バルブであって、
内部に流路を有するハウジングであり、その流路は、入口及び出口を有するチャンバを含み、そのチャンバは内壁を有するハウジングと、
前記チャンバ内にある圧縮性部材と、
前記内壁によって規定され、前記入口から受け取った流体を出口に向けて導く流体チャンネルと、
前記流路の一部を規定する可動カニューレとを備える医療用バルブ。
【請求項２】 請求項１の医療用バルブにおいて、前記圧縮性部材はスポンジ材料からなる医療用バルブ。
【請求項３】 請求項１の医療用バルブにおいて、前記圧縮性部材は風船デバイスからなる医療用バルブ。
【請求項４】 請求項１の医療用バルブにおいて、前記カニューレは前記チャンバの容積を制御する医療用バルブ。
【請求項５】 請求項１の医療用バルブにおいて、前記バルブは開位置と閉位置との間で移動自在で、前記圧縮性部材は前記チャンバと協働して、前記バルブが閉位置のときよりも前記バルブが開位置にあるときに内部が大きな容積を有する医療用バルブ。
【請求項６】 請求項１の医療用バルブにおいて、前記内壁は空気ベントを規定する医療用バルブ。
【請求項７】 請求項１の医療用バルブにおいて、前記圧縮性部材は前記流体チャンネルを経由する流体の流れを遮断しない医療用バルブ。
【請求項８】 請求項１の医療用バルブにおいて、前記バルブは開位置と閉位置との間で移動自在で、前記圧縮性部材は前記チャンバと協働して、前記バルブが閉位置のときよりも前記バルブが開位置にあるときに前記チャンバが大きな容積を持つ医療用バルブ。
【請求項９】 流体をバルブで調節する医療用バルブであって、前記バルブを経由して流体が流れることができる開モードを有すると共に、前記バルブを経由して流体が流れることを阻止する閉モードも有する医療用バルブにおいて、
内部に流体チャンネルを有するハウジングであり、流体を受け入れる可変容積の流体チャンバを有するハウジングと、
前記可変容積流体チャンバ内にある圧縮性部材とを備え、
前記圧縮性部材及び前記内壁が、前記バルブが閉モードにあるときに前記流体チャンバ内に閉止されたチャンババ容積を規定し、
前記圧縮性部材及び前記内壁が、前記バルブが開モードにあるときに前記流体チャンバ内に開放されたチャンバ容積を規定し、
前記閉止されたチャンバ容積は前記開放されたチャンバ容積よりも小さい医療用バルブ。
【請求項１０】 請求項９の医療用バルブにおいて、前記内壁は前記バルブを通る流体の流れを伝えるチャンネルを画定する医療用バルブ。
【請求項１１】 請求項９の医療用バルブにおいて、前記圧縮性部材は前記バルブを通過する流体の流れを阻止しない医療用バルブ。
【請求項１２】 請求項９の医療用バルブにおいて、前記圧縮性部材はスポンジ材料からなる医療用バルブ。
【請求項１３】 請求項９の医療用バルブにおいて、前記圧縮性部材は風船装置からなる医療用バルブ。
【請求項１４】 請求項９の医療用バルブにおいて、前記カニューレは前記チャンバの容積を制御する医療用バルブ。
【請求項１５】 流体をバルブで調節する医療用バルブであって、前記バルブを経由して流体が流れることができる開モードを有すると共に、前記バルブを経由して流体が流れることを阻止する閉モードも有する医療用バルブにおいて、
流路を包含するハウジングと
チャンバを規定する内壁であり、このチャンバは前記流路内にある内壁と、
前記チャンバ内にあって、最大容積と最小容積とを有する圧縮性部材と、
前記流路の一部を規定する細長い部材とを備え、
前記圧縮性部材は、前記バルブが閉モードにあるときに前記最大容積と等しい容積を持ち、
前記圧縮性部材が、前記バルブが開モードにあるときに前記最小容積と等しい容積を持つ医療用バルブ。
【請求項１６】 請求項１５のバルブにおいて、前記最小容積は前記最大容積よりも小さいバルブ。
【請求項１７】 請求項１５のバルブにおいて、前記内壁は、前記バルブが前記開モードにあるときに、前記バルブを通る流体の流れを伝えるチャンネルを規定するバルブ。
【請求項１８】 請求項１５のバルブにおいて、前記圧縮性部材及び前記チャンバは協働して、前記バルブが閉モードのときに閉止されたチャンバ容積を規定すると共に、前記圧縮性部材及び前記チャンバは協働して、前記バルブが開放モードであるときに、開放チャンバ容積を規定し、前記閉止チャンバ容積は前記開放チャンバ容積よりも小さい医療用バルブ。
【請求項１９】流体をバルブで調節する医療用バルブであって、
前記バルブを通じて流体を導く流路を包含し、この流路から流体を受け入れる入口を有するバルブチャンバを包含するハウジングと、
前記流路の一部を規定する細長い可動カニューレと、
前記チャンバ内にある圧縮性部材であって、この圧縮性部材は前記バルブチャンバを流体チャンバと構成チャンバとに分割し、前記流体チャンバが前記入口を通じて流体を受け入れるとともに流体を前記流路に導く流体出口を持ち、前記構成チャンバは前記圧縮性部材及び前記チャンバ壁によって規定された圧縮性部材と、
前記チャンバ壁によって規定されたベントであって、前記ハウジングを通って延在して前記構成チャンバから排出するベントとを備える医療用バルブ。
【請求項２０】 請求項１９の医療用バルブにおいて、前記流路は第１の通路部分及び第２の通路部分を備え、第１の通路部分は前記第２の通路部分とほぼ直交する医療用バルブ。
【請求項２１】 請求項１９の医療用バルブにおいて、前記構成チャンバは前記部材の容積と実質的に同一の容積を持つ医療用バルブ。
【請求項２２】 請求項１９の医療用バルブにおいて、前記構成チャンバは前記流体チャンバの容積よりも大きな容積を持つ医療用バルブ。
【請求項２３】 請求項１９の医療用バルブにおいて、前記医療用バルブは、交互に、前記バルブを通過して流体が流れることができる開モードと、前記バルブを通過して流体が流れることを阻止する閉モードとにおいて利用可能である医療用バルブ。
【請求項２４】 請求項２３の医療用バルブにおいて、前記構成チャンバは、前記閉モードのときに前記流体チャンバの容積よりも大きな容積を持つ医療用バルブ。
【請求項２５】 請求項２３の医療用バルブにおいて、前記構成チャンバは、前記開モードのときに前記流体チャンバの容積よりも小さな容積を持つ医療用バルブ。
【請求項２６】 請求項２３の医療用バルブにおいて、前記流体チャンバ及び前記構成チャンバの各々は、前記バルブのモードに依存する可変容積を持つ医療用バルブ。
【請求項２７】 請求項１９の医療用バルブにおいて、前記圧縮性部材は中空内部を画定し、さらに、前記圧縮性部材は前記中空内部に向う開口を画定し、前記開口は前記ベントと連通する医療用バルブ。
【請求項２８】 請求項２７の医療用バルブにおいて、前記圧縮性部材の中空内部は前記流路と連通する流体に対し密封されている医療用バルブ。
【請求項２９】 請求項１９の医療用バルブにおいて、前記圧縮性部材は、通常圧縮されていない状態にあるときに末端方向に歪められた構成である医療用バルブ。
【請求項３０】 請求項１９の医療用バルブにおいて、前記構成チャンバは前記壁及び前記圧縮性部材によって規定され、前記構成チャンバは前記流路と連通する流体に対し密封されている医療用バルブ。
【請求項３１】 請求項１９の医療用バルブにおいて、前記圧縮性部材の内部にあり、通常は前記圧縮性部材を前記圧縮されていない状態にしているスプリングを備える医療用バルブ。
【請求項３２】 請求項１９の医療用バルブにおいて、前記圧縮性部材はスプリングとなるように構成されている医療用バルブ。
【請求項３３】 流体をバルブで調節する医療用バルブであって、
前記バルブを通じて流体を導く流路を包含するハウジングであり、その流路は流体を導く可動チャンネル手段を少なくとも部分的に形成するハウジングと、
前記ハウジングにより規定され、前記流路と連通するバルブチャンバと、
前記バルブチャンバの容積を減少させる減少手段とを備える医療用バルブ。
【請求項３４】 請求項３３の医療用バルブにおいて、前記減少させる手段は圧縮性部材から構成される医療用バルブ。
【請求項３５】 請求項３３の医療用バルブにおいて、前記バルブを経由して流体がながれることができるように前記チャンバを開放する手段を更に備え、この手段は前記チャンネルが開放したときに前記減少手段を圧縮する医療用バルブ。
【請求項３６】請求項１の医療用バルブにおいて、開放モードのときには前記バルブが流体を流し、閉止モードのときには前記バルブが流体流を妨げ、前記カニューレは前記閉止モードのときよりも前記開放モードのときに、より遠位地に位置する医療用バルブ。
【請求項３７】 請求項１の医療用バルブにおいて、前記カニューレは、前記流路の一部を形成するカニューレ流チャンネルを含む医療用バルブ。
【請求項３８】 請求項３３の医療用バルブにおいて、前記可動チャンネル手段は剛性チューブを含む医療用バルブ。
【請求項３９】 請求項３９の医療用バルブにおいて、前記可動チャンネル手段はカニューレを含む医療用バルブ。
【請求項４０】 請求項３３の医療用バルブにおいて、前記減少手段を排出させる手段を更に含む医療用バルブ。
【請求項４１】 請求項３３の医療用バルブにおいて、前記減少手段のサイズは前記バルブの状態に応じて膨張収縮する医療用バルブ。